【手続補正書】
【提出日】平成20年9月5日(2008.9.5)
【手続補正１】
【補正対象書類名】明細書
【補正対象項目名】特許請求の範囲
【補正方法】変更
【補正の内容】
【特許請求の範囲】
【請求項１】  地上波デジタルテレビジョン放送および地上波デジタル音声放送を受信可能な受信チューナーと、
前記受信チューナーの出力から第１の周波数帯域の信号を取り出す第１フィルタと、
前記受信チューナーの出力から前記第１の周波数帯域とは異なる第２の周波数帯域の信号を取り出す第２フィルタと、
前記第１および第２フィルタのいずれかの出力を受け、前記地上波デジタルテレビジョン放送および地上波デジタル音声放送の両放送に共通した信号処理を行う信号処理部と、
前記信号処理部の動作クロックを生成するクロック生成部と
を備え、
前記動作クロックの周波数は、前記信号処理部に前記第１および第２フィルタのいずれの信号が与えられているかに応じて可変である
デジタル放送受信器。
【請求項２】  請求項１に記載のデジタル放送受信器であって、
前記動作クロックを分周する分周器と、
前記クロック生成部からの出力と前記分周器からの出力のいずれかの出力信号を選択的に出力することが可能なスイッチと
をさらに備え、
前記スイッチの出力の選択は、前記第１および第２フィルタのいずれの信号が前記信号処理部に与えられるかに応じて異なる
デジタル放送受信器。
【請求項３】  地上波デジタルテレビジョン放送および地上波デジタル音声放送を受信可能な受信チューナーと、
前記受信チューナーの出力を受け、前記地上波デジタルテレビジョン放送および地上波デジタル音声放送の両放送に共通した信号処理を行う信号処理部と
を備え、
前記信号処理部は、
前記受信チューナーの出力中に含まれる複数のキャリアの周波数と強度とを算出するフーリエ変換処理を行うフーリエ変換処理部と、
前記フーリエ変換処理において算出された複数のキャリアのうち所定のキャリアの算出結果を選択して出力する出力制御部と
を含み、
前記フーリエ変換処理において算出されるキャリアの数は、前記地上波デジタルテレビジョン放送の信号処理に必要な値であり、
前記出力制御部において選択される所定のキャリアの数は、前記地上波デジタルテレビジョン放送の信号処理に必要な値、または、前記地上波デジタル音声放送の信号処理に必要な値である
デジタル放送受信器。
【手続補正２】
【補正対象書類名】明細書
【補正対象項目名】００２２
【補正方法】変更
【補正の内容】
【００２２】
【課題を解決するための手段】
請求項１に記載の発明は、地上波デジタルテレビジョン放送および地上波デジタル音声放送を受信可能な受信チューナーと、前記受信チューナーの出力から第１の周波数帯域の信号を取り出す第１フィルタと、前記受信チューナーの出力から前記第１の周波数帯域とは異なる第２の周波数帯域の信号を取り出す第２フィルタと、前記第１および第２フィルタのいずれかの出力を受け、前記地上波デジタルテレビジョン放送および地上波デジタル音声放送の両放送に共通した信号処理を行う信号処理部と、前記信号処理部の動作クロックを生成するクロック生成部とを備え、前記動作クロックの周波数は、前記信号処理部に前記第１および第２フィルタのいずれの信号が与えられているかに応じて可変であるデジタル放送受信器である。
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】変更
【補正の内容】
【００２６】
請求項２に記載の発明は、請求項１に記載のデジタル放送受信器であって、前記動作クロックを分周する分周器と、前記クロック生成部からの出力と前記分周器からの出力のいずれかの出力信号を選択的に出力することが可能なスイッチとをさらに備え、前記スイッチの出力の選択は、前記第１および第２フィルタのいずれの信号が前記信号処理部に与えられるかに応じて異なるデジタル放送受信器である。
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】変更
【補正の内容】
【００２８】
請求項３に記載の発明は、地上波デジタルテレビジョン放送および地上波デジタル音声放送を受信可能な受信チューナーと、前記受信チューナーの出力を受け、前記地上波デジタルテレビジョン放送および地上波デジタル音声放送の両放送に共通した信号処理を行う信号処理部とを備え、前記信号処理部は、前記受信チューナーの出力中に含まれる複数のキャリアの周波数と強度とを算出するフーリエ変換処理を行うフーリエ変換処理部と、前記フーリエ変換処理において算出された複数のキャリアのうち所定のキャリアの算出結果を選択して出力する出力制御部とを含み、前記フーリエ変換処理において算出されるキャリアの数は、前記地上波デジタルテレビジョン放送の信号処理に必要な値であり、前記出力制御部において選択される所定のキャリアの数は、前記地上波デジタルテレビジョン放送の信号処理に必要な値、または、前記地上波デジタル音声放送の信号処理に必要な値であるデジタル放送受信器である。
【手続補正９】
【補正対象書類名】明細書
【補正対象項目名】００８９
【補正方法】削除
【補正の内容】
【手続補正１０】
【補正対象書類名】明細書
【補正対象項目名】００９０
【補正方法】削除
【補正の内容】
【手続補正１１】
【補正対象書類名】明細書
【補正対象項目名】００９１
【補正方法】変更
【補正の内容】
【００９１】
請求項１に記載の発明によれば、クロック生成部の生成する動作クロックの周波数は、信号処理部に第１および第２フィルタのいずれの信号が与えられているかに応じて可変である。よって、クロック生成部を、例えば地上波デジタルテレビジョン放送用と地上波デジタル音声放送用との２つ分、設ける必要がない。その結果、回路要素を少なくすることができる。
【手続補正１２】
【補正対象書類名】明細書
【補正対象項目名】００９２
【補正方法】変更
【補正の内容】
【００９２】
請求項２に記載の発明によれば、分周器とスイッチとを備え、スイッチの出力の選択は、第１および第２フィルタのいずれの信号が信号処理部に与えられるかに応じて異なる。よって、動作クロックの周波数が可変である高価なクロック生成部を用いることなく、動作クロックの周波数が固定である安価なクロック生成部をひとつ用いるだけで、周波数可変のクロック生成部と同様の機能を持たせることができる。
【手続補正１３】
【補正対象書類名】明細書
【補正対象項目名】００９３
【補正方法】削除
【補正の内容】
【手続補正１４】
【補正対象書類名】明細書
【補正対象項目名】００９４
【補正方法】変更
【補正の内容】
【００９４】
請求項３に記載の発明によれば、フーリエ変換処理において算出されるキャリアの数は、地上波デジタルテレビジョン放送の信号処理に必要な値であり、出力制御部が、フーリエ変換処理において算出された複数のキャリアのうち所定のキャリアの算出結果を選択して出力し、出力制御部において選択されるキャリアの数は、地上波デジタルテレビジョン放送の信号処理に必要な値、または、地上波デジタル音声放送の信号処理に必要な値である。よって、このデジタル放送受信器をテレビジョン放送に用いるか音声放送に用いるかの選択は、出力制御部の制御で行うことができる。さらに、フーリエ変換処理における算出処理は地上波デジタルテレビジョン放送用の処理のみとなり、フーリエ変換処理部の回路が簡易になる。そのためシンプルで低コストなシステムを実現することができる。